(57)【特許請求の範囲】
【請求項１】
商品収納部が設けられた断熱構造の庫内空間の前面開口部を閉塞し、前記商品収納部から商品を商品取出口へ払い出すための商品排出口が開口された自動販売機の内扉であって、
通常は前記商品排出口を閉塞し、前記商品収納部から商品が払い出されることにより前記商品排出口を開口する排出口扉と、
前記排出口扉が取り付けられる樹脂製の排出口扉枠と、
下端部に前記排出口扉枠が設けられ、内扉の外枠を形成する樹脂シート製の内扉本体と、
前記樹脂製の排出口扉枠と前記樹脂シート製の内扉本体とにより構成される内部空間、または前記排出口扉枠が取り付けられる前記樹脂シート製の内扉本体により構成される内部空間に、発泡剤を注入して形成される断熱材と
により構成したこと
を特徴とする自動販売機の内扉。
【請求項２】
前記内扉本体内に部分的に樹脂製の補強部材が配設された状態で、前記内扉本体内に前記発泡剤が注入されることにより形成されること
を特徴とする請求項１に記載の自動販売機の内扉。
【発明の詳細な説明】
【技術分野】
【０００１】
本発明は自動販売機の内扉に関するものである。
【背景技術】
【０００２】
従来の自動販売機が、例えば、特許文献１に開示されている。
この特許文献１に開示されている自動販売機は、図６に示すように、商品を冷却したり加温したりして販売可能な自動販売機であり、外扉３を開閉自在に支持する自動販売機本体１内に、断熱性を有する内扉４にてその前面開口部を開閉可能な断熱構造の庫内空間（内箱）２が設けられており、庫内空間２に設けられた複数列（図では４列）の商品収納部５に缶などの商品６が多数収納されている。内扉４は、庫内空間２の前面開口部を閉塞している。また商品収納部５の下端部には、収納した商品６を順次払い出す払出装置（図示せず）が配設され、この払出装置にて払い出された商品６は、内扉４の下部に開口された商品排出口７に設けられた排出口扉８を通して、外扉３の下部の商品取出口１０に払い出される。前記排出口扉８は、通常は商品排出口７を閉塞しており、商品収納部５から商品６が払い出されることにより商品排出口７を開口する。また庫内空間２は、断熱性を有するとともに上下並びに奥行き方向に延びる仕切壁９により幅方向に対して複数（図では3つ）の断熱空間に仕切られている。そして、それぞれの断熱空間毎に温度設定（冷却または加温設定）が可能であり、各断熱空間に対応して前記商品収納部５が設けられるとともに、商品排出口７が設けられている。図６では、正面から見て左端の一列、その右隣の一列、他の２列が仕切壁９で仕切られていてそれぞれ別個の商品収納部５となるように配置されており、内扉４に３つの商品排出口７が設けられている。
【０００３】
内扉４は、図６および図７に示すように、下端部に商品排出口７が形成され、下端に開口部１１Ａが形成された枠体からなる鋼板製の内扉本体１１Ｂと、内扉本体１１Ｂの開口部１１Ａを覆う合成樹脂製の下部カバー１２と、内扉本体１１Ｂにおける内面（庫内空間２に面する側）１１Ｃの周囲で、かつ前記下部カバー１２が設けられている下部を除いて設けられ、内扉本体１１Ｂの内面１１Ｃ側の庫内空間２の熱が直接、扉表面に伝達しないように熱切りするとともに密閉を確実とする枠状の樹脂部材１３と、内面１１Ｃに、各仕切壁９に対応して、温度が設定された断熱空間間で鋼板製の内扉本体１１Ｂを通して熱が伝わらないように設けられた複数（図では２つ）のスリット１４と、内扉本体１１Ｂの内部に発泡剤を注入して形成された断熱材１５とで構成され、鋼板製の内扉本体１１Ｂの内側に断熱材１５が充填された断熱構造となっている。また下部カバー１２には内扉本体１１Ｂの下部に装着された状態で開口部１１Ａの内側に係合する係合片１２Ａ，１２Ｂが形成されている。
【０００４】
内扉４の組み立ては、内扉本体１１Ｂ内の開口部１１Ａを覆うように下部カバー１２を装着し、続いて樹脂部材１３を装着し、樹脂部材１３と下部カバー１２が装着された内扉本体１１Ｂを型に入れ、続いてこの内扉本体１１Ｂと下部カバー１２とで形成される内部に発泡剤を注入して前記断熱材１５を形成することにより行われる。このとき、充填された断熱材１５により下部カバー１２を内扉本体１１Ｂに固定している。
【０００５】
また他の従来の内扉４の構成として、発泡剤の注入による断熱材１５に代えて、鋼板製の内扉本体１１Ｂの内部にウレタンボードを挿入して断熱したり、内扉の外面側だけを鋼板製の内扉本体により構成してこの鋼板製の内扉本体の裏面（内側）にウレタンボードを貼り付けて断熱する方式もある。このとき、ウレタンボードは、商品排出口７の両サイドに位置するパーツなど複数のパーツに分けて用意され、組み立てられる。
【特許文献１】特開２００２−１１７４４９号公報
【発明の開示】
【発明が解決しようとする課題】
【０００６】
上記のように構成された自動販売機の内扉の構造では、内扉本体１１Ｂが鋼板製で、発泡剤を注入して前記断熱材１５を形成し、鋼板製の内扉本体１１Ｂと断熱材１５が全面で密着しているため、廃棄時の分解性能が悪く、自動販売機を廃棄処理する際に内扉４の分別、すなわち内扉本体１１Ｂ等の金属性部品と断熱材１５等の樹脂性部品またはプラスチック性部品との分別が困難であるという問題があった。また内扉本体１１Ｂが鋼板製であり、熱漏洩が大きいことから、内扉本体１１Ｂの内面１１Ｃと外面との間や商品収納部５との間を断熱する必要があり、断熱用の樹脂部材１３を形成したり、鋼板製の内扉本体１１Ｂにスリット１４を加工したりする必要があるなど、生産効率が悪いという問題があった。
【０００７】
また複数のパーツに分けたウレタンボードを挿入して断熱する方式では、ウレタンボードを必要な大きさのパーツに分けて用意する必要があり、部品点数が増大するという問題があった。また発泡剤を注入する方式と比較して断熱性能が劣るという問題があった。
【０００８】
そこで、本発明は上記課題を解決するもので、断熱性能を向上させながら分別性能を向上でき、生産効率を高め、部品点数を削減できる自動販売機の内扉を提供することを目的とする。
【課題を解決するための手段】
【０００９】
上記課題を解決するために請求項１に記載の自動販売機の内扉は、商品収納部が設けられた断熱構造の庫内空間の前面開口部を閉塞し、前記商品収納部から商品を商品取出口へ払い出すための商品排出口が開口された自動販売機の内扉であって、
通常は前記商品排出口を閉塞し、前記商品収納部から商品が払い出されることにより前記商品排出口を開口する排出口扉と、前記排出口扉が取り付けられる樹脂製の排出口扉枠と、下端部に前記排出口扉枠が設けられ、内扉の外枠を形成する樹脂シート製の内扉本体と、前記樹脂製の排出口扉枠と前記樹脂シート製の内扉本体とにより構成される内部空間、または前記排出口扉枠が取り付けられる前記樹脂シート製の内扉本体により構成される内部空間に、発泡剤を注入して形成される断熱材とにより構成したことを特徴とする。
【００１０】
この構成によれば、内扉本体を樹脂シート製とすることにより、鋼板製とした場合と比較して熱伝導率が低く、かつ内扉本体により形成される内部空間に、発泡剤を注入して断熱材を形成することにより、優れた断熱効果が得られ、さらに廃棄の際に内扉本体と断熱材を分別する必要がなくなり、分別性能が向上される。また商品収納部と対向する内扉本体の内面は樹脂シートで形成され断熱効果が高いことから、従来のように鋼板製の内扉本体にスリットを加工したり、断熱用の樹脂部材（上記樹脂部材１３）を設けたりする必要がなく、生産効率が改善される。さらに従来の複数のパーツに分けたウレタンボードを挿入して断熱する方式と比較して部品点数が削減される。
【００１１】
また請求項２に記載の自動販売機の内扉は、前記内扉本体内に部分的に樹脂製の補強部材が配設された状態で、前記内扉本体内に前記発泡剤が注入されることにより形成されることを特徴とする。
【００１２】
この構成によれば、補強部材により内扉本体における大きな力が作用する箇所の剛性が向上され、かつ補強部材は樹脂製であるので、廃棄の際にこの補強部材と内扉本体と断熱材を分別する必要がなく、内扉ごと廃棄できる。
【発明の効果】
【００１３】
本発明の自動販売機の内扉は、自動販売機の内扉本体を樹脂シート製とし、内扉本体により形成される内部空間に発泡剤を注入して断熱材を形成することにより、優れた断熱効果を得ることができ、さらに廃棄の際に内扉本体と断熱材を分別する必要がなくなり、分別性能を向上することができる。
【発明を実施するための最良の形態】
【００１４】
以下、本発明の実施の形態を、図面を参照しながら説明する。なお、従来の自動販売機の構成要素と略同機能のものには同符号を付して説明する。
図１〜図３は本実施の形態における自動販売機の内扉を示しており、図１〜図３に示す内扉１８は、従来の内扉４に代えて自動販売機本体１に取り付けられる内扉であり、その構造を改善している。
【００１５】
図１〜図３に示すように、内扉１８は、通常は商品排出口７を閉塞し、商品収納部５から商品６が払い出されることにより商品排出口７を開口する複数（図では３つ）の排出口扉２０と、排出口扉２０がそれぞれ取り付けられる樹脂製の排出口扉枠２１と、下端部に排出口扉枠２１が嵌め込まれ、内扉１８の外枠を形成し、剛性を有する樹脂シート｛例えば、ＰＥＴ（ポリエチレンテレフタレート）の剛性を有する板状シート｝製の内扉本体２２と、樹脂製の排出口扉枠２１と樹脂シート製の内扉本体２２とにより構成される内部空間に、樹脂（例えば、ウレタン樹脂）からなる発泡剤を注入して形成される断熱材２３と、内扉本体２２の一方の側部前面（外扉３側）に固定され、内扉本体２２を自動販売機本体１に取り付け開閉自在とするための上下一対の金属製のヒンジ（取付金具）２４およびその樹脂製のヒンジ用ブラケット（係止片）２４Ａと、内扉本体２２の他方の側部に固定され、内扉１８により庫内空間２の前面開口部を閉塞するための金属製の取っ手金具２５および樹脂製の取っ手金具用ブラケット（係止片）２７およびこれら取っ手金具２５と取っ手金具用ブラケット２７に回転自在に取り付けられた取っ手２８とから構成されている。また前記内扉本体２２は、上下左右の側面部と前面部とが一体となった前面側部材２２ａと背面部をなす背面側部材２２ｂから構成されている。
【００１６】
なお、図２および図４に示すように、内扉本体２２の前面側部材２２ａには、これら取っ手金具２５と取っ手金具用ブラケット２７が取り付けられている箇所に、左右一対の矩形状の角孔３０が形成されている。また、取っ手金具２５には、取っ手２８の一部を引っ掛けるためのフック部２５ａが手前に突出するように（側面視して断面コ字形状に）一体形成されるとともに、このフック部２５ａの上面部分から後方に突出する取り付け用の爪部２５ｂや取り付け用ネジ２９を挿通する孔２５ｃ、取っ手２８を裏側から受ける受け部２５ｄなども形成されており、さらに取っ手金具用ブラケット２７には、取っ手金具２５の爪部２５ｂを挿入する挿入孔２７ａや、取り付け用ネジ２９をねじ込むネジ孔２７ｂが形成されている。
【００１７】
またヒンジ用ブラケット２４Ａは、ある程度の剛性を有する合成樹脂等の板材製とされ、図２に示すように、内扉本体２２の前面側部材２２ａの側面に渡って形成されており、ヒンジ２４の取り付け箇所における内扉本体２２をサポートする補強部材を兼ねている。
【００１８】
また前記樹脂製の排出口扉枠２１には、図３に示すように、排出口扉２０を前面側（外扉３側）にのみ開閉可能とするとともに、排出口扉２０が閉じた状態では商品排出口７を塞ぐことができるように、下端部に水平に、排出口扉２０の係止部材２１Ａが設けられている。
【００１９】
また前記排出口扉２０は、図５に示すように、前記排出口扉枠２１に取り付けられ、商品排出口７を開閉する樹脂製の扉本体３１と、この扉本体３１の前側（外扉３側）表面の全面に渡って、扉本体３１との間に中空状態を形成するようヒートシールされたポリカーボネイト製（樹脂製の一例）の板状体３２により構成されている。前記係止部材２１Ａには、扉本体３１の下端部が係止される。
【００２０】
上記構成の自動販売機の内扉１８の組み立ては、内扉本体２２内にヒンジ用ブラケット２４Ａと取っ手金具用ブラケット２５Ａを固定し、内部下端部に、樹脂製の排出口扉枠２１を固定し、この内扉本体２２の周囲に、後工程の発泡剤注入時に内扉本体２２が膨らむことを防止する木枠を配設し、内扉本体２２の内部空間に発泡剤を注入して断熱材２３を形成し、最後に、ネジ２６により上下一対のヒンジ２４をヒンジ用ブラケット２４Ａに取り付け、取っ手金具２５を、そのフック部２５ａと受け部２５ｄとの間に取っ手２８を遊嵌させた状態で、その爪部２５ｂを、内扉本体２２の裏面に取り付けた取っ手金具用ブラケット２７の挿入孔２７ａに手前から差し込んで引っ掛けた後、取り付け用ネジ２９を取っ手金具２５の孔２５ｃを通して取っ手金具用ブラケット２７のネジ孔２７ｂにねじ込むことにより、取っ手２８および取っ手金具２５を取っ手金具用ブラケット２７に取り付け、排出口扉枠２１に排出口扉２０を取り付けることにより行われる。
【００２１】
また内扉本体２２が、前面側部材２２ａと背面側部材２２ｂにより構成され、これらが木枠内に配設された状態で発泡剤が注入されることにより、発泡剤を介して前面側部材２２ａと背面側部材２２ｂとが一体的に固着される。
【００２２】
以上のように、内扉本体２２を樹脂製とすることにより、鋼板製とした場合と比較して熱伝導率が低く、かつ内扉本体２２により形成される内部空間に、発泡剤を注入して断熱材２３を形成することにより、優れた断熱効果を得ることができる。さらに内扉本体２２と断熱材２３を樹脂製とすることにより廃棄の際に鉄とプラスチックに分別する必要がなくなり、分別性能を向上できる。さらに排出口扉枠２１ならびにヒンジ用ブラケット２４Ａや取っ手金具用ブラケット２７を樹脂製とすることにより、排出口扉枠２１も内扉本体２２と断熱材２３とともに廃棄の際に分別する必要がなくなり、分別性能を向上できる。また商品収納部５と対向する内扉本体２２の内面は樹脂で形成され断熱効果が高いことから、従来のように鋼板製の内扉本体にスリットを加工したり、断熱用の樹脂部材（上記樹脂部材１３）を設ける必要がなく、生産効率を高めることができる。さらに従来の複数のパーツに分けたウレタンボードを挿入して断熱する方式と比較して部品点数を削減することができ、生産効率を高めることができる。
【００２３】
また、排出口扉２０に、樹脂製の板状体３２をヒートシールして扉本体３１との間に中空状態を形成することにより、断熱効果を得ることができ、庫内空間２より商品排出口７を介して熱が逃げることを防止でき、庫内空間２の温度をより一定に保持することができる。
【００２４】
また内扉本体２２を構成する前面側部材２２ａと背面側部材２２ｂとがいずれも熱伝導率が低いため、従来のような、内扉の前面側と背面側との伝達を阻止する樹脂部材１３を不要とすることができる。
【００２５】
なお、本実施の形態では、樹脂製の排出口扉枠２１と樹脂製の内扉本体２２とにより構成される内部空間に、発泡剤を注入して断熱材２３を形成しているが、前記排出口扉枠２１が取り付けられる樹脂シート製の内扉本体２２により構成される内部空間に、発泡剤を注入して断熱材２３を形成するとともに排出口扉枠２１を取り付けるための角孔を形成し、この角孔に排出口扉２０を組み付けた排出口扉枠２１を取り付けるようにしてもよい。
【００２６】
また本実施の形態では、内扉本体２２と断熱材２３とは異なる樹脂を使用しているが、必ずしも異なる種類の樹脂を用いる必要はなく、所定の断熱性能を有して、剛性を持たせたり、発泡剤として用いたりすることができるならば、同じ種類の樹脂材料を用いてもよく、これにより後処理がさらに簡便となる。
【図面の簡単な説明】
【００２７】
【図１】本発明の実施の形態における自動販売機の内扉の正面図である。
【図２】同内扉の平面図および要部拡大断面図である。
【図３】同内扉の要部断面側面図および要部拡大断面図である。
【図４】同内扉の取っ手の要部断面正面図および断面図である。
【図５】同内扉の商品排出扉の正面図および要部断面図である。
【図６】自動販売機の外扉と内扉を開いた状態の斜視図である。
【図７】従来の自動販売機の内扉の組み立ておよび縦断面図である。
【符号の説明】
【００２８】
１    自動販売機本体
２    庫内空間
５    商品収納部
６    商品
７    商品排出口
９    仕切壁
１０  商品取出口
１８  内扉
２０  排出口扉
２１  排出口扉枠
２２  内扉本体
２３  断熱材
２４  ヒンジ
２５  取っ手金具
２７  取っ手金具用ブラケット
２８  取っ手
３１  排出口扉の扉本体
３２  板状体
【図１】
0004841226.tif 000002
【図２】
0004841226.tif 000003
【図３】
0004841226.tif 000004
【図４】
0004841226.tif 000005
【図５】
0004841226.tif 000006
【図６】
0004841226.tif 000007
【図７】
0004841226.tif 000008